【手続補正書】
【提出日】平成30年5月12日(2018.5.12)
【手続補正１】
【補正対象書類名】特許請求の範囲
【補正対象項目名】全文
【補正方法】変更
【補正の内容】
【特許請求の範囲】
【請求項１】
階段の天井部分の施工のための階段仮設足場において、
階段の桁方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において桁方向に延びる段付き斜行梁又は水平桁梁と、
階段の両側の前記支柱に支持されて該支柱の間に架設され、階段の幅方向に延びる横架材と、
階段の幅方向に配向され、前記天井部分の下側に作業床を形成する足場板とを有し、
前記支柱は、高さ方向に間隔を隔てて配置された複数の支承部を有し、該支承部は、前記斜行梁又は水平桁梁の端部に設けられた係止具を支承するとともに、前記横架材の端部に設けられた係止具を支承することを特徴とする階段仮設足場。
【請求項２】
前記支柱は、所定間隔を隔てて並列配置された複数の縦管を前記支承部によって相互連結した複合構造の鋼製組立柱からなることを特徴とする請求項１に記載の階段架設足場。
【請求項３】
前記支承部は、前記係止具を係止可能な係止溝を有することを特徴とする請求項１又は２に記載の階段仮設足場。
【請求項４】
前記斜行梁又は水平桁梁の端部には、該斜行梁又は水平桁梁を前記支柱に固定するための緊締具が取付けられ、上記横架材の端部には、該横架材を前記支柱に固定するための緊締具が取付けられることを特徴とする１乃至３のいずれか１項の階段仮設足場。
【請求項５】
前記斜行梁は、前記足場板を支承する複数の水平部分を階段状に配列してなる足場板支持体を有し、前記足場板は、前記足場板支持体に支承され、前記天井部分の下側に延在する階段状の作業床を階段の上部空間に形成することを特徴とする請求項１乃至４のいずれか１項に記載の階段仮設足場。
【請求項６】
前記水平桁梁は、前記足場板を支承し、前記足場板は、前記天井部分の下側に延在する全体的に水平な作業床を階段の上部空間に形成することを特徴とする請求項１乃至４のいずれか１項に記載の階段仮設足場。
【請求項７】
桁方向に間隔を隔てて配置された横架材の間には、桁方向に延びる段付き斜行小梁又は水平小梁が架設され、該斜行小梁又は水平小梁の各端部は、前記横架材によって支承され、前記足場板は、前記斜行梁又は水平桁梁と前記斜行小梁又は水平小梁とによって水平に支承されることを特徴とする請求項１乃至６のいずれか１項に記載の階段仮設足場。
【請求項８】
階段の天井部分の施工のための階段仮設足場において、
階段の勾配方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において前記勾配方向に延びる段付き斜行梁と、
階段の両側の前記支柱に支持されて該支柱の間に架設され、階段の幅方向に延びる横架材と、
階段の幅方向に配向され、前記天井部分の下側に作業床を形成する足場板とを有し、
前記斜行梁は、前記足場板を支承する複数の水平部分を階段状に配列してなる足場板支持体を有し、
前記足場板は、前記足場板支持体に支承され、前記天井部分の下側に延在する階段状の作業床を階段の上部空間に形成することを特徴とする階段仮設足場。
【請求項９】
前記勾配方向に延びる段付き斜行小梁が前記横架材の間に架設され、前記斜行小梁の各端部は、前記横架材によって支承され、該斜行小梁は、前記足場板を支承する複数の水平部分を階段状に配列してなる足場板支持体を有することを特徴とする請求項８に記載の階段仮設足場。
【請求項１０】
前記支柱は、前記勾配方向に所定間隔を隔てて並列配置された複数の縦管を補強材によって相互連結した複合構造の鋼製組立柱からなることを特徴とする請求項８又は９に記載の階段仮設足場。
【請求項１１】
前記支柱は、高さ調節可能なジャッキ式柱脚部を有することを特徴とする請求項１乃至１０のいずれか１項に記載の階段仮設足場。 
【請求項１２】
前記横架材及び／又は水平桁梁は、ラチス構造又はトラス構造の鋼製組立梁からなることを特徴とする請求項１乃至１１のいずれか１項に記載の階段仮設足場。
【請求項１３】
前記横架材及び／又は水平桁梁は、前記支柱の梁間方向スパン又は桁方向スパンに相応して該横架材又は水平桁梁の長さを調節するための伸縮構造を有することを特徴とする請求項１２に記載の階段仮設足場。
【請求項１４】
請求項１乃至１３のいずれか１項に記載された階段仮設足場を既存階段又は既設階段に設置し、前記足場板の下側に階段の常用歩行通路を形成することを特徴とする階段天井部分の施工方法。
【請求項１５】
請求項１乃至７のいずれか１項に記載された階段仮設足場を既存階段又は既設階段に設置する階段天井部分の施工方法であって、
前記梁及び横架材の高さ位置を前記支承部によって位置決めすることを特徴とする階段天井部分の施工方法。
【請求項１６】
請求項１５に記載された階段天井部分の施工方法において、
施工時に前記梁及び横架材の高さ位置を降下させ、非施工時に前記梁及び横架材の高さ位置を上昇させることを特徴とする階段天井部分の施工方法。
【手続補正２】
【補正対象書類名】明細書
【補正対象項目名】００１５
【補正方法】変更
【補正の内容】
【００１５】
上記目的を達成すべく、本発明は、階段の天井部分の施工のための階段仮設足場において、
階段の桁方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において桁方向に延びる段付き斜行梁又は水平桁梁と、
階段の両側の前記支柱に支持されて該支柱の間に架設され、階段の幅方向に延びる横架材と、
階段の幅方向に配向され、前記天井部分の下側に作業床を形成する足場板とを有し、
前記支柱は、高さ方向に間隔を隔てて配置された複数の支承部を有し、該支承部は、前記斜行梁又は水平桁梁の端部に設けられた係止具を支承するとともに、前記横架材の端部に設けられた係止具を支承することを特徴とする階段仮設足場を提供する。
本発明は又、階段の天井部分の施工のための階段仮設足場において、
階段の勾配方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において前記勾配方向に延びる段付き斜行梁と、
階段の両側の前記支柱に支持されて該支柱の間に架設され、階段の幅方向に延びる横架材と、
階段の幅方向に配向され、前記天井部分の下側に作業床を形成する足場板とを有し、
前記斜行梁は、前記足場板を支承する複数の水平部分を階段状に配列してなる足場板支持体を有し、
前記足場板は、前記足場板支持体に支承され、前記天井部分の下側に延在する階段状の作業床を階段の上部空間に形成することを特徴とする階段仮設足場を提供する。
なお、本明細書において、「桁方向」は、平面視において階段の幅方向と実質的に直交する方向、平面視において階段の側壁又は手摺と実質的に平行な方向、或いは、平面視における階段通路の歩行方向を意味するものとする。
【手続補正３】
【補正対象書類名】明細書
【補正対象項目名】００１７
【補正方法】変更
【補正の内容】
【００１７】
また、階段架設足場の骨組は、階段の側部帯域において支柱を踏面（前述のとおり、上階及び下階の床面、踊り場の床面等を含む。）に立設し、支柱間に横架材及び斜行梁を架設することにより形成される。このような構成によれば、階段の歩行通路領域に支柱を立設せず、階段の全幅と概ね同等又は同程度の幅を有する通路空間を足場板の下側に形成することができるので、不特定多数の利用者が階段を利用する時間帯においても、階段仮設足場を既設階段に存置し、改修工事等の作業日毎に足場の設置作業及び解体・撤去作業を省略することが可能となる。
【手続補正４】
【補正対象書類名】明細書
【補正対象項目名】００１８
【補正方法】変更
【補正の内容】
【００１８】
更に、上記支承部を備えた階段仮設足場によれば、例えば、比較的天井高が低い階段に上記足場を設置した工事現場において、斜行梁、水平桁梁及び横架材を施工時に降下させ、斜行梁、水平桁梁及び横架材を非施工時に上昇させる必要がある場合においても、上記支承部によって斜行梁、水平桁梁及び横架材の荷重を昇降移設作業時に過渡的に支持することができるので、斜行梁、水平桁梁及び横架材の昇降移設作業を比較的容易に遂行することができる。
【手続補正５】
【補正対象書類名】明細書
【補正対象項目名】００１９
【補正方法】変更
【補正の内容】
【００１９】
好ましくは、上記支柱は、所定間隔を隔てて並列配置された複数の縦管を上記支承部又は補強材によって相互連結した複合構造の鋼製組立柱からなる。好適には、支承部は、上記係止具を係止可能な係止溝を有する。更に好ましくは、上記斜行梁又は水平桁梁の端部には、斜行梁又は水平桁梁を支柱に固定するための緊締具が取付けられ、横架材の端部には、横架材を支柱に固定するための緊締具が取付けられる。所望により、上記支柱は、高さ調節可能なジャッキ式柱脚部を有する。
【手続補正６】
【補正対象書類名】明細書
【補正対象項目名】００２０
【補正方法】変更
【補正の内容】
【００２０】
また、足場板を支承する複数の水平部分を階段状に配列してなる足場板支持体を上記斜行梁に設けた仮設階段足場によれば、足場板は、足場板支持体に支承され、天井部分の下側に延在する階段状の作業床を階段の上部空間に形成する。また、上記水平桁梁は、足場板を支承し、足場板は、天井部分の下側に延在する全体的に水平な作業床を階段の上部空間に形成する。
【手続補正７】
【補正対象書類名】明細書
【補正対象項目名】００１６
【補正方法】変更
【補正の内容】
【００１６】
本発明の上記構成によれば、斜行梁の水平部分、或いは、水平桁梁の水平部分に支持された足場板は、作業性が良好な水平作業床を階段の上部空間に形成する。適切な高さ位置にレベル設定された斜行梁又は水平桁梁は、足場板の下側に通路空間を形成することができる。例えば、斜行梁は、全体的に階段勾配方向に延びるので、各段部に支持された足場板の下側には、全長に亘って概ね均等又は同等の高さを有し且つ階段勾配方向に延びる通路空間が形成される。